(57)【特許請求の範囲】
【請求項１】
外部から供給された電力を所定の駆動電力に変換する電源部と、
前記電源部と接続され前記駆動電力により発光する一対の光源部と、
前記光源部の光を入射面から入光させ一体に形成された板状から成る複数の導光片の出射面から前記光を出射させる一対の導光部と、
前記光源部をそれぞれ収納し且つ一端から前記導光部を向かい合うようにそれぞれ突出させて配設した一対の筐体部とを有し、
複数の前記導光片は、前記入射面に対向した先端面が分岐されていること
を特徴とする照明装置。
【請求項２】
一対の前記導光部は、前記導光片の前記先端面が向かい合わないように設けられていること
を特徴とする請求項１に記載の照明装置。
【請求項３】
前記導光片の前記先端面は、台形台形状、円錐台形状、外側又は内側に向かって湾曲した形状、又は先端に所定の深さの円柱形状や円錐形状から成る凹部を設けた形状から成ること
を特徴とする請求項２に記載の照明装置。
【請求項４】
前記出射面の一面以上に、前記光源部の光を拡散光として導出させる凹状又は凸状のパターンが形成されていること
を特徴とする請求項１に記載の照明装置。
【発明の詳細な説明】
【技術分野】
【０００１】
本発明は、多品種の導光片を立体的に配設した照明装置に関する。
【背景技術】
【０００２】
従来、発光ダイオードを用いた照明器具に関して、器体の外面に複数の放熱フィンが突設され発光ダイオードをそれぞれ器体内面に近接して配置することにより、製造コストを増大させることなく発光ダイオードの放熱性を向上させた照明装置の構成がある（例えば、特許文献１参照。）。
【０００３】
また、発光ダイオードを光源として用いた電球形ＬＥＤランプに関し、金属基板に絶縁性接着層を介してＬＥＤチップが実装されたＬＥＤ基板の他面側をホルダの光源取付け部に直接または間接的に接触させることにより、高出力用ＬＥＤ基板を用いた場合にも放熱性を保つ電球形ＬＥＤランプの構成がある（例えば、特許文献２参照。）。
【先行技術文献】
【特許文献】
【０００４】
【特許文献１】特開２００６−０４０７２７号公報
【特許文献２】特開２００９−０３７９９５号公報
【発明の概要】
【発明が解決しようとする課題】
【０００５】
しかしながら、前述の様な構成では、複数の光源を平面上に設けていることから配光特性が偏り、また発光部分の形状に制約があることから、装置の光学特性を最適化することが困難となる問題が有った。
【０００６】
そこで、本発明は前述の技術的な課題に鑑み、一方の方向に長い形状から成る発光部分を円周方向のいずれの方向から視認する場合においても、その発光部分から導出される光の明暗の差を抑制することができる照明装置の提供を目的とする。
【課題を解決するための手段】
【０００７】
前述の課題を解決すべく、本発明の照明装置は、外部から供給された電力を所定の駆動電力に変換する電源部と、前記電源部と接続され前記駆動電力により発光する一対の光源部と、前記光源部の光を入射面から入光させ一体に形成された板状から成る複数の導光片の出射面から前記光を出射させる一対の導光部と、前記光源部をそれぞれ収納し且つ一端から前記導光部を向かい合うようにそれぞれ突出させて配設した一対の筐体部とを有し、複数の前記導光片は、前記入射面に対向した先端面が分岐されていることを特徴とする。
【発明の効果】
【０００８】
本発明に係る照明装置によれば、一方の方向に長い形状から成る発光部分を円周方向のいずれの方向から視認する場合においても、その発光部分から導出される光の明暗の差を抑制することができる。
【図面の簡単な説明】
【０００９】
【図１】本発明の第１の実施形態に係る照明装置を台に設置し門柱灯として使用している状態を示す斜視図である。
【図２】本発明の第１の実施形態に係る照明装置を構成毎に分解して示す斜視図である。
【図３】本発明の第１の実施形態に係る照明装置において複数の板状の導光片が十字状に一体に形成された導光部と該導光部を保持する筐体部とを示す斜視図であり、（ａ）は入射面に対向する先端面が互いに向い合った２つの導光部と該２つの導光部を保持する筐体部とを示す斜視図、（ｂ）は入射面に対向する先端面が互いに向かい合っていない２つの導光部と該２つの導光部を保持する筐体部とを示す斜視図、（ｃ）は入射面に対向する分岐された先端面が互いに向かい合っていない２つの導光部と該２つの導光部を保持する筐体部とを示す斜視図、（ｄ）は１つの導光部と該導光部を保持する筐体部とを示す斜視図である。
【図４】本発明の第１の実施形態に係る照明装置の導光部の導光片を示す斜視図であり、（ａ）は光源部の光を拡散光として導出させる凹状又は凸状のパターンが主面に形成されていない導光片を示す斜視図、（ｂ）は光源部の光を拡散光として導出させる凹状又は凸状のパターンが主面に形成されている導光片を示す斜視図である。
【図５】本発明の第２の実施形態に係る照明装置を構成毎に分解して示す斜視図である。
【図６】本発明の第２の実施形態に係る照明装置を外壁に設置し門柱灯として使用している状態を示す斜視図である。
【図７】本発明の第２の実施形態に係る照明装置を構成毎に分解して示す斜視図である。
【図８】本発明の第２の実施形態に係る照明装置の導光部と筐体部とを示す斜視図であり、（ａ）は矩形状の孔が形成された導光部の導光片と該導光部を保持する筐体部とを示す斜視図、（ｂ）は三角形状の孔が形成された導光部の導光片と該導光部を保持する筐体部とを示す斜視図、（ｃ）は楕円形状の孔が形成された導光部の導光片と該導光部を保持する筐体部とを示す斜視図である。
【図９】本発明の第３の実施形態に係る照明装置を構成毎に分解して示す斜視図である。
【発明を実施するための形態】
【００１０】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１１】
また、以下の説明においては、最初に本発明の第１の実施形態の照明装置１について図１乃至図４を参照しながら説明する。次に本発明の第２の実施形態の照明装置２について図５乃至図８を参照しながら説明する。次に本発明の第３の実施形態の照明装置４について図９を参照しながら説明する。次に本発明の第１乃至第３の実施形態の照明装置１乃至照明装置４にそれぞれ配設される導光部の製造方法について説明する。最後に本願発明に係る第１乃至第３の実施形態の照明装置１乃至照明装置４の構成と主な作用効果について請求項毎に説明する。
【００１２】
［第１の実施形態］
以下、本発明の第１の実施形態の照明装置１について、図１乃至図４を参照しながら、具体的に説明する。
【００１３】
第１の実施形態の照明装置１は、例えば図１及び図２に示すように、電源部１０、光源部２０、導光部３０、及び筐体部４０から構成される。この様な照明装置１は、図１に示すように、例えば表札が掛けられた台Ｍに設置される。以下、照明装置１の各構成について順に説明する。
【００１４】
第１の実施形態の照明装置１を構成する電源部１０は、外部から供給された電力を所定の駆動電力に変換する。この様な電源部１０は、例えば図２に示すように、電源ユニット１１及び配線１２から構成されている。以下、電源部１０の構成について順に説明する。電源部１０の電源ユニット１１は、配線１２を介して外部から供給された電力を、後述する光源部２０の光源２１の定格に合わせて、１００Ｖから例えば２４Ｖに降圧し、降圧後の交流の電力を直流に整流、整流後のパルス変調、及びノイズの除去等を行い、光源部２０の光源２１に駆動電力を供給する。この様な電源ユニット１１は、例えば変圧器、整流器、及びコンデンサ等から構成される。
【００１５】
また、電源部１０に関し、光源部２０の光源２１に例えば蛍光管、冷陰極管、又はネオン管が用いられる場合には、電源ユニット１１を、外部から供給される交流の電力を直流に変換しない構成にする。また、電源ユニット１１は、例えば後述する筐体部４０の筐体４１に設けられた電源ユニット収納凹部４１Ａに収納されている。なお、電源ユニット１１を、筐体４１の外部に配設する構成としても良い。また、配線１２は、該配線１２の一端が電源ユニット１１に接続され、該配線１２の他端にコンセントに差し込んで外部から電力の供給を受ける図示せぬプラグや、発電機又は蓄電池を接続して電力の供給を受ける図示せぬ端子が接続されている。
【００１６】
第１の実施形態の照明装置１を構成する光源部２０は、電源部１０と接続され該電源部１０から供給された駆動電力により発光する。この様な光源部２０は、例えば図２に示すように、光源２１及び基板２２から構成されている。以下、光源部２０の構成について順に説明する。光源部２０の光源２１は、後述する導光部３０の各導光片に光を入射する。この様な光源２１は、例えば白色で発光する発光ダイオード（ＬＥＤ：Ｌｉｇｈｔ  Ｅｍｉｔｔｉｎｇ  Ｄｉｏｄｅ）から成る。なお、光源２１は、白色のＬＥＤに限定されることはなく、例えば白色、赤色、橙色、黄色、緑色、青色、藍色、又は紫色のいずれかの色、若しくはそれらの色の組み合わせから成るＬＥＤで構成しても良い。また、光源２１は、例えば紫外域の光を発するＬＥＤで構成しても良い。同様に、光源２１は、例えば有機発光ダイオード、蛍光管、冷陰極管、又はネオン管で構成しても良い。
【００１７】
また、光源部２０に関し、該光源部２０の基板２２は、光源２１を所定の配列により実装するための部材である。この様な基板２２には、例えば軽量で一定の強度を有するアルミニウムを用いた円盤状の金属板を用いる。なお、基板２２には、放熱性に優れた銅を用いた金属板や、加工性に優れたガラスエポキシ基板を用いても良い。ここで、図２に示すように、基板２２には、導光部３０の十字状に形成された各導光片の入射面３０Ｅに沿うように、例えば１０個のＬＥＤが十字状に配列されている。また、基板２２は、後述する筐体部４０の筐体４１に設けられた基板収納凹部４１Ｂに収納されている。
【００１８】
第１の実施形態の照明装置１を構成する導光部３０は、光源部２０の光を入射面から出射面へ導出させる導光片が一体に形成されている。この様な導光部３０については、まず図２を参照しながら導光部３０の基本的な構成について説明し、次に図２を参照しながら導光部３０の基本的な光学特性について説明し、さらに図３を参照しながら導光部３０の応用例について説明し、最後に図４を参照しながら凹状又は凸状のパターンが形成された導光部３０について説明する。
【００１９】
導光部３０の基本的な構成に関し、図２に示すように、導光部３０は、例えば対面同一に２つ設けられている。また、各導光部３０は、例えばそれぞれ板状から成る導光片３０Ａ、導光片３０Ｂ、導光片３０Ｃ、及び導光片３０Ｄにより十字状に一体に形成されている。ここで、導光片３０Ａ乃至導光片３０Ｄの各導光片の材質に関して、各導光片は、例えば透明なアクリル樹脂から形成されている。なお、各導光片は、透明なアクリル樹脂に限定されることは無く、着色されたアクリル樹脂を用いても良い。また、各導光片は、例えば可視域の光を照射されることにより拡散光を発する微粒子状の拡散部材を添加した樹脂板を用いても良い。同様に、各導光片は、例えば紫外域や可視域の光を照射されることにより蛍光を発する蛍光剤を塗布又は添加した樹脂板を用いても良い。ここで、導光片３０Ａ乃至導光片３０Ｄの各導光片の形状に関して、各導光片の一端には、光源部２０の光源２１の光が入射される入射面３０Ｅが設けられている。また、各導光片の入射面３０Ｅに対向する他端には、先端面３０Ｆが設けられている。
【００２０】
また、導光部３０の基本的な構成に関し、導光片３０Ａ乃至導光片３０Ｄの各導光片の入射面３０Ｅと先端面３０Ｆの間には、所定の形状の孔３０Ｉが開口された主面３０Ｇが設けられている。また、各導光片の厚み部分は、側面３０Ｈに相当する。この様な主面３０Ｇ及び側面３０Ｈは、光源２１の光が出射される出射面に相当する。同様に、先端面３０Ｆも、光源２１の光が出射される出射面に相当する。なお、各導光片の入射面３０Ｅの近傍の側面３０Ｈには、後述する筐体部４０の保持部材４２と連結される凹状の連結用切欠３０Ｊが設けられている。具体的には、図２に示す各導光片の主面３０Ｇには、例えば矩形状から成る孔３０Ｉが形成されている。なお、孔３０Ｉの形状は、矩形状に限定されることはなく、例えば多角形状、円形状、楕円形状、又はそれらを組み合わせた形状としても良い。ここで、導光片３０Ａ乃至導光片３０Ｄの各導光片の保護に関して、各導光片には、それぞれ防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００２１】
導光部３０の基本的な光学特性に関し、図２に示す導光部３０では、各導光片の入射面３０Ｅから入射された光源２１の光が、各導光片の内部で均一に拡散された後に、主に主面３０Ｇと側面３０Ｈから導出される。したがって、導光部３０の各導光片から導出される光は、視認者が眩しく感じることがない。具体的には、各導光片の入射面３０Ｅから入射された光源２１の光の一部は、孔３０Ｉの孔内部短面３０Ｉ'で広角に反射させることができる。また、各導光片の入射面３０Ｅから入射された光源２１の光は、側面３０Ｈと孔３０Ｉの孔内部長面３０Ｉ''との間に形成された細長い空間で多重反射させることができる。さらに、各導光片の入射面３０Ｅに入射された光源２１の光は、各導光片の内部で多重反射することにより先端面３０Ｆに対して斜入射で照射される。したがって、各導光片の先端面３０Ｆに照射された光の大部分は、入射面３０Ｅの側に反射され、さらに各導光片の内部で多重反射させることができる。
【００２２】
また、導光部３０の基本的な光学特性に関し、導光部３０の各導光片が例えば十字状に一体に形成されていることにより、導光片３０Ａの内部で多重反射された光の一部は、例えば導光片３０Ａに隣接した導光片３０Ｂに入射され、該導光片３０Ｂの内部で更に多重反射されてから導出される。したがって、各導光片の入射面３０Ｅから入射された光源２１の光の一部は、他の導光片を介して更に多重反射させてから導出させることができる。また、導光部３０の各導光片が例えば十字状に一体に形成されていることにより、例えば導光片３０Ａの主面３０Ｇから導出された光は、該導光片３０Ａに隣接した導光片３０Ｂに遮光されることなく導出できる。さらに、導光部３０の各導光片は透明であることから、例えば導光片３０Ａの主面３０Ｇ越しに隣接した導光片３０Ｂの主面３０を視認することができる。すなわち、照明装置１の円周方向のいずれの方向から導光部３０を見た場合にも、各導光片から導出される光の明暗の差を抑制することができる。一方、従来の照明装置に設けられた導光片の様に、単純な矩形状から形成された導光片の場合、導光片の入射面から入射した光の大部分は、導光片の内部を直進して入射面に対向した先端面から放出される。したがって、従来の照明装置に設けられた導光片では、該導光片の各面から均一な拡散光を導出させることが困難である。
【００２３】
導光部３０の応用例に関し、図３（ａ）に示す導光部３０は図２に示す導光部３０と同一であり、該図３（ａ）に示す導光部３０を基準にして、図３（ｂ）乃至図３（ｄ）に示す各導光部について説明する。図３（ｂ）に示す導光部３０は、対向する２つの導光部３０の十字状に形成された先端面３０Ｆが互いに向い合わないように設けられている。この様な構成にすることにより、図３（ｂ）に示す導光部３０では、左右に隣接して設けられた２つの導光部３０にそれぞれ形成された各導光片の主面３０Ｇ及び側面３０Ｈの配設角度が相対的に４５度異なることから、２つの導光部３０から導出される光の配光特性を平均化させることができる。さらに、図３（ｂ）に示す導光部３０では、２つの導光部３０にそれぞれ形成された各導光片の主面３０Ｇ及び側面３０Ｈに加えて、各導光片の先端面３０Ｆからも光を導出させることができる。
【００２４】
また、導光部３０の応用例に関し、図３（ｃ）に示す導光部３１は、図３（ｂ）に示す導光部３０と同一の配置であるが、図３（ｂ）に示す導光部３０と異なり２つの導光部３１にそれぞれ形成された各導光片の先端面３１Ｆが分岐されている。この様な構成にすることにより、図３（ｃ）に示す導光部３１では、図３（ｂ）に示す導光部３０と同様の効果が得られる。また、図３（ｃ）に示す導光部３１では、各導光片の分岐された先端面３１Ｆの形状を、特殊な形状にすることができる。具体的には、各導光片の分岐された先端面３１Ｆの形状を、例えば外側や内側に向かって湾曲した曲面としたり、台形台形状や円錐台形状としたり、又は所定の深さの円柱形状や円錐形状から成る凹部を設けた形状にすることができる。したがって、図３（ｃ）に示す導光部３１では、各導光片の分岐された先端面３１Ｆを特殊な形状にすることにより、各導光片の先端面３１Ｆから導出される光の出射方向を所定の角度に制御することができ、且つ先端面３１Ｆで乱反射した光の一部が入射面に向かって反射されることから各導光片の内部で該光を多重反射させ易くすることができ、さらに各導光片の先端面３１Ｆから導出される光を略集光光や略発散光にする様なレンズ効果を得ることができる。
【００２５】
同様に、導光部３０の応用例に関し、図３（ｄ）に示す導光部３２は、導光部３０と同様の外形形状から成り横幅のみが導光部３０の２倍から成る。なお、導光部３２では、各導光片の両側に図示せぬ入射面がそれぞれ形成されている。この様な構成にすることにより、図３（ｄ）に示す導光部３２では、例えば各導光片の両側の入射面に例えば紫色と赤色の様な異なる波長の光源２１をそれぞれ設けることにより、各導光片の主面３２Ｇ及び側面３２Ｈからグラデーション効果を有する光を導出させることができる。また、図３（ｄ）に示す導光部３２では、該導光部３２の製造コストを低減させることができ、且つ照明装置１の組立に係るリードタイムを短縮することができる。なお、導光部３０の構成の応用例に関し、例えば図３（ｂ）に示す導光部３０と図３（ｃ）に示す導光部３１を１つずつ設ける構成としても良い。
【００２６】
凹状又は凸状のパターンが形成された導光部３０に関し、図４（ａ）に示す導光片３０Ａは、図２に示す導光部３０の導光片３０Ａと同様の構成である。一方、図４（ｂ）に示す導光片３０Ａ'の対向する主面３０Ｇには、光源部２０の光源２１の光を拡散光として導出させる凹状又は凸状のパターン３０Ｐが、それぞれ形成されている。また、図４（ｂ）では導光部の導光片３０Ａ'のみ図示しているが、その他の全ての導光片又は一部の導光片に、導光片３０Ａと同様のパターン３０Ｐを形成する。なお、導光片３０Ａ'に設けられた主面３０Ｇ、側面３０Ｈ、及び先端面３０Ｆのいずれか一面以上に、パターン３０Ｐを形成する構成としても良い。また、パターン３０Ｐは、図４（ｂ）に示す導光片３０Ａ'の対向する主面３０Ｇに対して、それぞれ例えば１ｍｍから６ｍｍの間隔でマトリクス状に形成されている。ここで、導光片３０Ａ'の主面３０Ｇに形成されたパターン３０Ｐの密度が十分に高ければ、該パターン３０Ｐで発生した複数の拡散光は、略均一な面光源として導光片３０Ａ'から導出される。
【００２７】
また、凹状又は凸状のパターンが形成された導光部３０に関し、パターン３０Ｐを、導光片３０Ａ'の対向する主面３０Ｇに対して対面非同一に形成すると、対面同一に形成した場合と比較して、視認者により視認され拡散光が発生するパターン３０Ｐの数が増加するため、導光片３０Ａ'から導出される拡散光の明暗の差が小さくなる。なお、光源部２０の光源２１の光の強度は、導光片３０Ａ'の入射面３０Ｅから先端面３０Ｆに向かって、相対的に低下する。したがって、導光片３０Ａ'の主面３０Ｇに形成するパターン３０Ｐの深さを、導光片３０Ａ'の入射面３０Ｅから先端面３０Ｆに向かって段階的に深くすることにより、パターン３０Ｐから発生する拡散光の強度を上げて、導光片３０Ａ'から導出される拡散光の強度を平均化させる構成としても良い。同様に、導光片３０Ａ'の主面３０Ｇに形成するパターン３０Ｐの間隔を、導光片３０Ａ'の入射面３０Ｅから先端面３０Ｆに向かって段階的に密にすることにより、導光片３０Ａ'から導出される拡散光の強度を平均化させる構成としても良い。
【００２８】
第１の実施形態の照明装置１を構成する筐体部４０は、対をなすよう配設され光源部２０を収納している。この様な筐体部４０は、例えば図２に示すように、筐体４１、保持部材４２、及び固定部材４３から構成されている。以下、筐体部４０の構成について順に説明する。筐体部４０の筐体４１は、例えばアルミニウムから成り、半球形状から形成されている。また、筐体４１の半球形状の開口部分に形成された長方体形状の電源ユニット収納凹部４１Ａに、電源部１０の電源ユニット１１が収納されている。また、筐体４１の半球形状の開口部分に形成された円筒形状の基板収納凹部４１Ｂに、光源部２０の基板２２が収納され、例えば図示せぬネジを基板２２に開口されたネジ孔２２Ａを通して、基板収納凹部４１Ｂに形成されたネジ溝４１Ｃにネジ留めする。また、筐体４１の半球形状の開口部分の先端に形成されたリング状から成る当接面４１Ｄに、導光部３０の入射面３０Ｅが当接される。また、筐体４１の半球形状の外周面４１Ｆに図示せぬ凹凸形状から成る放熱部材を設けることにより外周面４１Ｆの表面積を増加させて、電源部１０及び光源部２０で発生した熱を効率良く放熱させる構成としても良い。また、筐体４１を貫通する配線孔４１Ｇを設けて、該配線孔４１Ｇを介し電源ユニット収納凹部４１Ａに収納された電源ユニット１１に配線１２を結線する。
【００２９】
また、筐体部４０に関し、該筐体部４０の保持部材４２は、例えば図２に示すように、導光部３０を筐体４１に着脱可能に保持する。この様な保持部材４２は、例えばアルミニウムから成り、半円盤状から形成されている。具体的には、一対の保持部材４２は、それぞれ該保持部材４２の両端に形成された突起４２Ａを、導光片３０Ａ及び導光片３０Ｃの連結用切欠３０Ｊに挿入して係合している。同様に、一対の保持部材４２は、それぞれ該保持部材４２の中央に開口された連結用切欠４２Ｂを、導光片３０Ｂ及び導光片３０Ｄの連結用切欠３０Ｊに嵌め込んで係合している。また、一対の保持部材４２は、それぞれ該保持部材４２の内周面に設けられた接合面４２Ｃで、筐体４１の半球形状の開口部分の先端の外周に設けられた接合面４１Ｅを覆い、図示せぬネジ等により固定されている。また、一対の保持部材４２を用いて導光部３０を筐体４１に保持した場合に、接合部分に生じる隙間から雨水や砂埃が入らないように、保持部材４２の接合部分に例えばゴム等から成るパッキン等を取り付けて、接合部分に生じる隙間を密封しても良い。また、保持部材４２そのものをゴム等で成型して用いても良い。
【００３０】
また、筐体部４０に関し、該筐体部４０の固定部材４３は、図１に示すように、照明装置１を例えば表札が掛けられた台Ｍに設置するための固定用の部材である。この様な固定部材４３は、例えばステンレスから成り、内部に空間を有した棒状の部材をコの字状に屈折させて形成している。また、固定部材４３の内部には、電源部１０の配線１２を通すための配線孔４３Ａが形成されている。また、固定部材４３の両端には、切削加工等により平面状の接合面４３Ｂが形成されており、筐体４１の接合面４１Ｈと接合され、図示せぬネジ等で固定されている。
【００３１】
以上、第１の実施形態に係る照明装置１によれば、例えば図２に示す導光部３０の様に、各導光片の入射面３０Ｅから入射された光源２１の光が、各導光片の内部で均一に拡散された後に、主に主面３０Ｇと側面３０Ｈから導出される。したがって、導光部３０の各導光片から導出される光は、視認者が眩しく感じることがない。具体的には、各導光片の入射面３０Ｅから入射された光源２１の光の一部は、孔３０Ｉの孔内部短面３０Ｉ'で広角に反射させることができる。また、各導光片の入射面３０Ｅから入射された光源２１の光は、側面３０Ｈと孔３０Ｉの孔内部長面３０Ｉ''との間に形成された細長い空間で多重反射させることができる。また、導光部３０の各導光片が例えば十字状に一体に形成されていることにより、導光片３０Ａの内部で多重反射された光の一部は、例えば導光片３０Ａに隣接した導光片３０Ｂに入射され該導光片３０Ｂの内部で更に多重反射させてから導出することができる。
【００３２】
また第１の実施形態に係る照明装置１では、例えば図２に示す導光部３０の様に、各導光片が例えば十字状に一体に形成されていることにより、例えば導光片３０Ａの主面３０Ｇから導出された光は、該導光片３０Ａに隣接した導光片３０Ｂに遮光されることなく導出させることができる。さらに、導光部３０の各導光片が透明であることから、例えば導光片３０Ａの主面３０Ｇ越しに隣接した導光片３０Ｂの主面３０を視認することができる。すなわち、照明装置１の円周方向のいずれの方向から導光部３０を見た場合にも、各導光片から導出される光の明暗の差を抑制することができる。
【００３３】
同様に、第１の実施形態に係る照明装置１では、例えば図３（ｂ）に示す２つの導光部３０の様に、十字状に形成された先端面３０Ｆが、互いに向い合わないように設けられている。この様な構成により、左右に隣接して設けられた２つの導光部３０にそれぞれ形成された各導光片の主面３０Ｇ及び側面３０Ｈの配設角度が相対的に４５度異なることから、２つの導光部３０から導出される光の配光特性を平均化させることができる。さらに、２つの導光部３０にそれぞれ形成された各導光片の主面３０Ｇ及び側面３０Ｈに加えて、各導光片の先端面３０Ｆからも光を導出させることができる。
【００３４】
同様に、第１の実施形態に係る照明装置１では、例えば図３（ｃ）に示す２つの導光部３１の様に、各導光片の先端面３１Ｆが分岐されている。この様な構成より、先端面３１Ｆの形状を、例えば外側や内側に向かって湾曲した曲面としたり、台形台形状や円錐台形状としたり、又は所定の深さの円柱形状や円錐形状から成る凹部を設けた形状にすることができる。したがって、各導光片の分岐された先端面３１Ｆを特殊な形状にすることにより、各導光片の先端面３１Ｆから導出される光の出射方向を所定の角度に制御することができ、且つ先端面３１Ｆで乱反射した光の一部が入射面に向かって反射されることから各導光片の内部で該光を多重反射させ易くすることができ、さらに各導光片の先端面３１Ｆから導出される光を略集光光や略発散光にする様なレンズ効果を得ることができる。
【００３５】
同様に、第１の実施形態に係る照明装置１では、例えば図３（ｄ）に示す導光部３２の様に、各導光片の両側に入射面がそれぞれ設けられている。この様な構成により、導光部３２の各導光片の両側の入射面に例えば紫色と赤色の様な異なる波長の光源２１をそれぞれ設けることにより、各導光片の主面３２Ｇ及び側面３２Ｈからグラデーション効果を有する光を導出させることができる。また、導光部３２の製造コストを低減させることができ、且つ照明装置１の組立に係るリードタイムを短縮することができる。
【００３６】
同様に、第１の実施形態に係る照明装置１では、例えば図４（ｂ）に示す導光片に、入射面から入射された光源部２０の光源２１の光を拡散光として導出する凹状又は凸状のパターン３０Ｐを形成している。したがって、各導光片の内部で反射して外部に導出された光に加えて、各導光片に形成された凹状又は凸状のパターン３０Ｐで発生した拡散光を、導出させることができる。また、凹状又は凸状のパターン３０Ｐを、各導光片の主面３０Ｇにマトリクス状に配列させて設けることで、各導光片の各パターンで発生した複数の拡散光により、各導光片の主面３０Ｇを略均一な面光源として作用させることができる。また、各導光片の主面３０Ｇに形成された凹状又は凸状のパターン３０Ｐで発生した拡散光は、視認者の目に眩しく感じることが無く、該視認者により自然に近い優しい光として視認することができる。
【００３７】
同様に、第１の実施形態に係る照明装置１では、例えば図２に示す導光部３０に設ける各導光片を様々な形状にすることにより、優れたデザイン性を備えている。さらに、多品種の導光部を、第１の実施形態に係る照明装置１を設置する環境やユーザの好みに合わせて、照明装置１に対して容易に着脱して交換することができる。したがって、第１の実施形態に係る照明装置１は、単に門柱灯として使用する形態に留まらず、例えばレストランや結婚式等に配置することにより、該照明装置１を視認した視認者に対して、一定の演出効果を与えることができる。
【００３８】
なお、第１の実施形態に係る照明装置１では、該照明装置１に光量センサを設けて、該光量センサで検出された外部の明るさに応じて光源部２０の光源２１に供給する駆動電力を可変することにより、夜間や雨天時には相対的に駆動電力を高くし、昼間は相対的に駆動電力を低くするか又は駆動電力の供給を停止する様な制御を行っても良い。
【００３９】
［第２の実施形態］
以下、本発明の第２の実施形態の照明装置２について、図５乃至図８を参照しながら、具体的に説明する。
【００４０】
なお、本発明の第２の実施形態の照明装置２及び照明装置３は、各照明装置を構成する導光部の内部に電源部１０の配線１１を通すことにより、電源部１０の１つの電源ユニット１１から、２つの光源部に対して駆動電力をそれぞれ供給していることに特徴を有している。また、それ以外の第２の実施形態に係る構成は、第１の実施形態で述べた構成と同様である。そこで、第２の実施形態においては、第１の実施形態とは異なる構成について中心に説明する。以下、照明装置２及び照明装置３の順で説明する。
【００４１】
第２の実施形態の照明装置２において、該照明装置２を構成する導光部５０は、図５に示すように、第１の実施形態の照明装置１を構成する導光部３０と異なり、導光部５０の内部に電源部１０の配線１１を通す配線孔５０Ｋが形成されている。ここで、図５の右側に示す光源部２０の基板２２に配設された光源２１に対して、図５の右側に示す筐体４１の電源ユニット収納凹部４１Ａに収納された電源ユニット１１から、配線１２を介して駆動電力が供給される。一方、図５の左側に示す光源部２０の基板２２に配設された光源２１に対しては、図５の右側に示す電源ユニット１１から、図５の右側に示す光源部２０の基板２２の配線孔２２Ｂと、２つの導光部５０の中心に形成された配線孔５０Ｋとをそれぞれ通した配線１２を介して駆動電力が供給される。
【００４２】
第２の実施形態の照明装置３において、該照明装置３を構成する筐体部７０は、図６に示すように、例えば外壁Ｎに設置される。この様な照明装置３は、導光部６０を縦長に配置する構成であり、且つ筐体部７０の１つの筐体７１のみを固定部材７４で接続して外壁Ｎ等に設置する。また、筐体部７０の筐体７１のみが固定部材７４に接続されている。したがって、筐体７１に対向して設けられた筐体７３は、円筒形状から成り照明装置３の下部に吊り下げられた状態で接続される。また、筐体部７０の固定部材７４は、図６に示すように、照明装置３を例えば例えば外壁Ｎに設置するための固定用の部材である。この様な固定部材７４は、例えばステンレスから成り、内部に空間を有した棒状の部材を湾曲させて形成している。また、固定部材７４の内部には、電源部１０の配線１２を通すための図示せぬ配線孔が形成されている。また、固定部材７４の一端が筐体７１の上部に接合され、図示せぬネジ等で固定されている。また、第１及び第２の実施形態と同様の構成から成る保持部材７２により、それぞれ光源部２０が収納された筐体７１及び筐体７３に対して、導光部６０が着脱可能に接続される。この様な導光部６０は、図８（ａ）に示す導光部６０の様に各導光片に矩形状の孔を形成している。また、図８（ｂ）に示す導光部６１の様に各導光片に三角形状の孔を形成しても良い。さらに、図８（ｃ）に示す導光部６１の様に各導光片に楕円形状の孔を形成しても良い。
【００４３】
以上、第２の実施形態に係る照明装置２によれば、前述した第１の実施形態に係る照明装置１と同様の作用効果を得ることができる。さらに、第２の実施形態に係る照明装置２によれば、第１の実施形態に係る照明装置１と異なり、１つの電源ユニット１１を１つ設けるだけで良いことから、照明装置２の製造コストを削減することができる。さらに、第２の実施形態に係る照明装置３によれば、照明装置２と異なり、導光部６０を縦長に配置して、図６に示すように例えば外壁Ｎに設置することができる。したがって、第２の実施形態に係る照明装置３では、該照明装置３を設置する環境やユーザの好みに合わせて、照明装置３を配置する角度をより自由に設定することができる。例えば、複数の照明装置３を一定の間隔で外壁に設けて、案内灯として使用することができる。
【００４４】
［第３の実施形態］
以下、本発明の第３の実施形態の照明装置４について、図９を参照しながら、具体的に説明する。
【００４５】
なお、本発明の第３の実施形態の照明装置４は、該照明装置４に導光部が３つ以上設けられ、一部の導光部に対応した保持部材４２にレンズ４２Ｄが形成されていることに特徴を有している。また、それ以外の第３の実施形態に係る構成は、第１及び第２の実施形態で述べた構成と同様である。そこで、第３の実施形態においては、第１及び第２の実施形態とは異なる構成について中心に説明する。
【００４６】
第３の実施形態の照明装置４において、該照明装置４を構成する導光部８０は、図５に示す導光部５０の横幅を約半分に形成した構成に相当する。また、照明装置４を構成する導光部８１は、導光部８０と同様の仕様であるが、保持部材４２と連結するための連結用切欠８０Ｊが設けられていない。また、導光部８０の配線孔８０Ｋ及び導光部８１の配線孔８１Ｋには、例えばステンレスから成り円筒形状に形成された連結棒８２が挿入されている。したがって、導光部８０は保持部材４２により直接保持され、導光部８１は連結棒８２を介して導光部８０及び保持部材４２により保持される。また、光源部９０では、該光源部９０の基板９２に、十字状に８つの光源２１が配列され、且つその十字状の間の領域に２つずつ合計８つの光源２１が配列されている。ここで、基板９２に十字状の間に２つずつ配列された光源２１から放射された光は、各光源２１の位置に対応して保持部材４２に形成された各レンズ４２Ｄでそれぞれ略平行光にされ、２つの導光部８１の入射面８１Ｅにそれぞれ入射される。
【００４７】
以上、第３の実施形態に係る照明装置４によれば、前述した第１及び第２の実施形態に係る各照明装置と同様の作用効果を得ることができる。さらに、第３の実施形態に係る照明装置４によれば、第１及び第２の実施形態に係る各照明装置と異なり、例えば図９に示すように導光部８０及び導光部８１が２つずつ合計４つ設けられ、且つ中央の２つの導光部８１に対応し保持部材４２にレンズ４２Ｄが形成されている。したがって、第３の実施形態に係る照明装置４では、該照明装置４を設置する環境やユーザの好みに合わせて、デザイン性を更に高めることができる。
【００４８】
次に、本発明の第１乃至第３の実施形態の照明装置１乃至照明装置４にそれぞれ配設される導光部の製造方法について、具体的に説明する。
【００４９】
導光部の製造方法には、例えば超音波加工、加熱加工、切削加工、レーザ加工、成型加工、及びシルク印刷加工を用いることができる。以下、各製造方法について説明する。超音波加工では、導光部の導光片の表面に当接させた超音波加工用ホーンの超音波の振動を用いて、導光片の表面を部分的に溶融させることにより、該表面に凹状のパターンを形成する。また、加熱加工では、導光部の導光片の表面に当接させた加工具の熱を用いて、導光片の表面を部分的に溶融させることにより、該表面に凹状のパターンを形成する。同様に、切削加工では、導光部の導光片の表面に当接しながら回転又は付勢させた切削工具を用いて、導光片の表面を部分的に削り取ることにより、該表面に凹状のパターンを形成する。同様に、レーザ加工では、導光部の導光片の表面に集光させたレーザ光の熱を用いて、導光片の表面を部分的に溶融させることにより、該表面に凹状のパターンを形成する。同様に、成型加工では、成型する導光部の導光片の外形形状を反映させた形状を金型の内部に形成し、例えば射出成型機に装着した金型に対して加熱して軟化させた樹脂を注入してから、該樹脂を冷却させることにより、導光片の表面に凹状のパターン、凸状のパターン、又は凹状及び凸状のパターンを形成する。
【００５０】
また、導光部の製造方法に関し、シルク印刷加工では、導光部の導光片の表面に対して所定の孔が開口した版を当接させ、孔を介して硬化性の樹脂を表面に付着させて、該表面を部分的に樹脂で被覆させることにより、該表面に凸状のパターンを形成する。また、成型加工又はシルク印刷加工に用いる導光片の基材である樹脂に、例えば拡散光を発する微粒子状の拡散部材を添加しても良い。同様に、上述した超音波加工、加熱加工、切削加工、又はレーザ加工を行う導光片の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光部の導光片を形成しても良い。具体的には、例えば成型加工により導光片の外形形状のみを形成した上で、例えば超音波加工により導光片の表面に凹状のパターンを形成しても良い。同様に、例えば成型加工により導光片の外形形状のみを形成した上で、例えばシルク印刷加工により導光片の表面に凸状のパターンを形成しても良い。
【００５１】
なお、上述した第１乃至第３の実施形態においては、照明装置１乃至照明装置４を、例えば門柱灯として使用する照明装置として説明したが、このような形態に限定されることはなく、本発明の要旨を逸脱しない範囲において適宜変更可能である。具体的には、照明装置１乃至照明装置４を、例えば、机上に載置して使用するスタンド灯や、庭園に備え付けて使用する庭園等として使用しても良い。
【００５２】
最後に、上述した本願発明に係る第１乃至第３の実施形態の照明装置１乃至照明装置４の構成と主な作用効果について、請求項毎に説明する。
【００５３】
請求項１に記載の照明装置１乃至照明装置４は、外部から供給された電力を所定の駆動電力に変換する電源部１０と、電源部１０と接続され駆動電力により発光する光源部２０又は９０と、光源部２０又は光源部９０の光を入射面から出射面へ導出させる１つ又は複数の板状の導光片が一体に形成された２つ以上の導光部３０、３１、５０、８０、又は８１と、対をなすよう配設され光源部２０又は９０を収納する筐体部４０又は７０とを有することを特徴としている。
【００５４】
したがって、請求項１に記載の照明装置１乃至照明装置４によれば、導光部３０、３１、５０、８０、又は８１の導光片の入射面から入射された光源２１の光が、導光部３０、３１、５０、８０、又は８１の導光片の内部で均一に拡散された後に、主面と側面から導出される。したがって、導光部３０、３１、５０、８０、又は８１から導出される光は、視認者が眩しく感じることがない。
【００５５】
また、請求項１に記載の照明装置１乃至照明装置４によれば、図２に示す導光部３０の様に、該導光部３０の各導光片が例えば十字状に一体に形成されていることにより、例えば導光片３０Ａの内部で多重反射された光の一部を、該導光片３０Ａに隣接した導光片３０Ｂに入射され該導光片３０Ｂの内部で更に多重反射させてから導出することができる。また、導光部３０の各導光片が例えば十字状に一体に形成されていることにより、例えば導光片３０Ａの主面３０Ｇから導出された光を、該導光片３０Ａに隣接した導光片３０Ｂに遮光されることなく導出させることができる。さらに、導光部３０の各導光片が透明であることから、例えば導光片３０Ａの主面３０Ｇ越しに隣接した導光片３０Ｂの主面３０を視認することができる。すなわち、照明装置１の円周方向のいずれの方向から導光部３０を見た場合にも、各導光片から導出される光の明暗の差を抑制することができる。
【００５６】
さらに、請求項１に記載の照明装置１乃至照明装置４によれば、例えば図３（ｂ）に示す２つの導光部３０の様に、左右に隣接して設けられた２つの導光部３０の配設角度を相対的に４５度異ならせることにより、２つの導光部３０から導出される光の配光特性を平均化させることができる。
【００５７】
請求項２に記載の照明装置１乃至照明装置４は、請求項１に従属し、２つ以上の導光部３０、３１、５０、８０、又は８１の入射面に対向する先端面が、互いに向い合うように、又は向い合わないように設けられていることを特徴としている。
【００５８】
したがって、請求項２に記載の照明装置１乃至照明装置４によれば、例えば図３（ｂ）に示す２つの導光部３０の様に、十字状に形成された先端面３０Ｆを互いに向い合わないように設けた場合、２つの導光部３０にそれぞれ形成された各導光片の主面３０Ｇ及び側面３０Ｈに加えて、各導光片の先端面３０Ｆからも光を導出させることができる。さらに、例えば図３（ｂ）に示す各導光片の分岐された先端面３１Ｆを、例えば外側や内側に向かって湾曲した曲面としたり、台形台形状や円錐台形状としたり、又は所定の深さの円柱形状や円錐形状から成る凹部を設けた形状にすれば、各導光片の先端面３１Ｆから導出される光の出射方向を所定の角度に制御したり、略集光光や略発散光にすることができる。
【００５９】
請求項３に記載の照明装置１乃至照明装置４は、請求項１に従属し、２つ以上の導光部が同一形状又は異なる形状で複数組み合わされて設けられていることを特徴としている。
【００６０】
したがって、請求項３に記載の照明装置１乃至照明装置４によれば、例えば形状が異なる２つの導光部を設けた場合、異なる２種類の配光特性を複合させることにより、該２つの導光部から導出される光の配光特性を平均化させることができる。
【００６１】
請求項４に記載の照明装置１乃至照明装置４は、請求項１に従属し、導光部３０、３１、３２、５０、６０、６１、６２、８０、又は８１の出射面の一面以上に、光源部２０又は９０の光源２１の光を拡散光として導出させる凹状又は凸状のパターンが形成されていることを特徴としている。
【００６２】
したがって、請求項４に記載の照明装置１乃至照明装置４によれば、導光部３０、３１、３２、５０、６０、６１、６２、８０、又は８１の各導光片の内部で反射して外部に導出された光に加えて、各導光片に形成された凹状又は凸状のパターンで発生した拡散光を、導出させることができる。また、凹状又は凸状のパターン３０Ｐを、各導光片の主面３０Ｇにマトリクス状に配列させて設けることで、各導光片の各パターンで発生した複数の拡散光により、各導光片の主面３０Ｇを略均一な面光源として作用させることができる。また、各導光片の主面３０Ｇに形成された凹状又は凸状のパターン３０Ｐで発生した拡散光は、視認者の目に眩しく感じることが無く、該視認者により自然に近い優しい光として視認することができる。
【符号の説明】
【００６３】
１，２，３，４  照明装置
１０  電源部
１１  電源ユニット
１２  配線
２０，９０  光源部
２１  光源
２２，９２  基板
２２Ａ，９２Ａ  ネジ孔
２２Ｂ，９２Ｂ  配線孔
３０，３１，３２，５０，６０，６１，６２，８０，８１  導光部
３０Ａ，３０Ｂ，３０Ｃ，３０Ｄ，３０Ａ'，３１Ａ，３１Ｂ，３１Ｃ，３１Ｄ，３２Ａ，３２Ｂ，５０Ａ，５０Ｂ，５０Ｃ，５０Ｄ，６０Ａ，６０Ｂ，６０Ｃ，６０Ｄ，６１Ａ，６１Ｂ，６１Ｃ，６１Ｄ，６２Ａ，６２Ｂ，６２Ｃ，６２Ｄ，８０Ａ，８０Ｂ，８０Ｃ，８０Ｄ，８１Ａ，８１Ｂ，８１Ｃ，８１Ｄ  導光片
３０Ｅ，５０Ｅ，６０Ｅ，８０Ｅ，８１Ｅ  入射面
３０Ｆ，３１Ｆ，５０Ｆ，８０Ｆ，８１Ｆ  先端面
３０Ｇ，３１Ｇ，３２Ｇ，５０Ｇ，６０Ｇ，８０Ｇ，８１Ｇ  主面
３０Ｈ，３１Ｈ，３２Ｈ，５０Ｈ，６０Ｈ，８０Ｈ，８１Ｈ  側面
３０Ｉ，５０Ｉ，６０Ｉ，８０Ｉ，８１Ｉ  孔
３０Ｉ'，８０Ｉ'，８１Ｉ'    孔内部短面
３０Ｉ''，８０Ｉ''，８１Ｉ''    孔内部長面
３０Ｊ，５０Ｊ，６０Ｊ，８０Ｊ  連結用切欠
３０Ｐ  パターン
５０Ｋ，６０Ｋ，８０Ｋ，８１Ｋ  配線孔
４０，７０  筐体部
４１，７１，７３  筐体
４１Ａ  電源ユニット収納凹部
４１Ｂ  基板収納凹部
４１Ｃ  ネジ溝
４１Ｄ  当接面
４１Ｅ  接合面
４１Ｆ  外周面
４１Ｇ  配線孔
４１Ｈ  接合面
４２，７２  保持部材
４２Ａ  突起
４２Ｂ  連結用切欠
４２Ｃ  接合面
４２Ｄ  レンズ
４３，７４  固定部材
４３Ａ  配線孔
４３Ｂ  接合面
８２  連結棒
Ｍ  台
Ｎ  外壁
【要約】
【課題】  本発明は、一方の方向に長い形状から成る発光部分を円周方向のいずれの方向から視認する場合においても、その発光部分から導出される光の明暗の差を抑制することができる照明装置の提供を目的とする。
【解決手段】  本発明に係る照明装置は、外部から供給された電力を所定の駆動電力に変換する電源部と、前記電源部と接続され、前記駆動電力により発光する光源部と、前記光源部の光を入射面から出射面へ導出させる１つ又は複数の板状の導光片が一体に形成された２つ以上の導光部と、対をなすよう配設され前記光源部を収納する筐体部とを有することを特徴とする。
【選択図】  図２【図１】
0004815023.tif 000002
【図２】
0004815023.tif 000003
【図３】
0004815023.tif 000004
【図４】
0004815023.tif 000005
【図５】
0004815023.tif 000006
【図６】
0004815023.tif 000007
【図７】
0004815023.tif 000008
【図８】
0004815023.tif 000009
【図９】
0004815023.tif 000010